(57)【要約】  本発明は、隣接する無線セルを有する移動通信網内の移動端末装置の作動準備時間及びセル変更性能の最適化方法および配列に関する。移動端末装置が移動通信網内で作動時にセル変更に適さない隣接セルのネット特有の特性を一時記憶し、そして、それをセル変更の決定基準に使用し、更に、特にこの情報が別の無線技術による測定及び識別手続から前記隣接セルを除外することのために利用される。本発明の方法による端末装置特性の実現によって移動端末装置の準備時間並びにセル変更性能を特定の状態において著しく向上させ、それによって、移動無線ユーザーにより良いサービスを提供することが可能になる。本発明のデバイスは、ＧＳＭ又はＵＭＴＳ標準による移動端末装置にもその他の無線網技術（たとえばワイヤレスＬＡＮ（Ｗ−ＬＡＮ）、ｃｄｍａ２０００、ＷｉＭＡＸ、ＷｉＢｒｏ、エンハンスドＵＴＲＡＮ等）にも適用することができる。
2009502061.tif 000002
【特許請求の範囲】
【請求項１】
隣接する無線セルを有する移動通信網内の移動端末装置の作動準備時間およびセル変更性能の最適化方法であって、
移動端末装置が移動通信網内での作動時にセル変更に適さない隣接無線セルのネット特有の特性を一時記憶し、そして、それをセル変更の決定基準に使用することを特徴とする方法。
【請求項２】
移動端末装置が隣接無線セルの不要な測定を回避するために特定の標的セルに関する情報を記憶し、放送チャネルを介して構成された隣接無線セルの別の測定時にはこの潜在的な標的セル（群）を除くために前記情報を使用することを特徴とする請求項１に記載の方法。
【請求項３】
移動端末装置が、隣接無線セルの不要な識別を回避するために、特定の標的セルに関する情報を記憶し、放送チャネルを介して構成された隣接無線セルの別の識別時にはこの潜在的な標的セル（群）を除くために前記情報を使用することを特徴とする請求項１に記載の方法。
【請求項４】
移動端末装置が任意の無線標準（たとえばＩＥＥＥ８０２．１１、ＷｉＭＡＸ、ＷｉＢｒｏなど）に従って作動することを特徴とする請求項１乃至３に記載の方法。
【請求項５】
ＧＳＭ又はＵＭＴＳ標準による移動電話が、すでにＬＡＵの拒否によって該移動電話が拒否されたロケーション・エリアに属している隣接無線セルを別の測定又は識別手続から除外することを特徴とする請求項１乃至４に記載の方法。
【請求項６】
ＧＳＭ又はＵＭＴＳ標準による移動電話が、すでにＲＡＵの拒否によって該移動電話が拒否されたルーティング・エリアに属している隣接無線セルを別の測定又は識別手続から除外することを特徴とする請求項１乃至４に記載の方法。
【請求項７】
移動電話が「ローミングに対して禁止されたＬＡのリスト」において拒否されたものとして含まれる隣接無線セルを別の測定又は識別手続から除外することを特徴とする請求項５又は６に記載の方法。
【請求項８】
ＷＬＡＮ標準（ＩＥＥＥ８０２．１１）による移動加入者端末装置が利用できない特性（たとえば“ＳＳＩＤ”）を放射する隣接無線セル若しくはアクセス・ポイント（ＡＰ）を、該移動加入者端末装置が利用できないことを検出した後で、別の測定または識別手続から除外することを特徴とする請求項１乃至４に記載の方法。
【請求項９】
前記隣接アクセス・ポイントが別の無線通信技術の放送チャネル上で放射されたことを特徴とする請求項１乃至４及び８のいずれか１項に記載の方法。
【請求項１０】
標的セルがブロック状態（“Ｂａｒｒｅｄ  Ｃｅｌｌ”）として分類されたために、ＧＳＭ又はＵＭＴＳ標準による移動電話がすでに前記セル変更に適していないとして検出した隣接無線セルを別の測定または識別手続から除外することを特徴とする請求項１乃至３のいずれか１項に記載の方法。
【請求項１１】
標的セルがオペレータ端末装置用にリザーブした（“Ｏｐｅｒａｔｏｒ  Ｒｅｓｅｒｖｅｄ  Ｃｅｌｌ”）として分類されたために、ＧＳＭ又はＵＭＴＳ標準による移動電話が前記セル変更に適していないと検出した隣接無線セルを別の測定から除外することを特徴とする請求項１乃至３のいずれか１項に記載の方法。
【請求項１２】
標的セルが別の無線技術によらない理由からセル変更に適していないとして分類されたために、ＧＳＭ又はＵＭＴＳ標準による移動電話が前記セル変更に適していないとして検出した隣接無線セルを別の測定又は識別手続から除外することを特徴とする請求項１、２並びに８、９に記載の方法。
【請求項１３】
標的セルが別の無線技術によらない理由からセル変更に適していないとして分類されたために、ＧＳＭ又はＵＭＴＳ以外の何らかの別の標準による移動電話が前記セル変更に適していないとして検出した隣接無線セルを別の測定または識別手続から除外することを特徴とする請求項１に記載の方法。
【請求項１４】
適していない標的セルの測定を抑制した移動無線端末装置が所定の時間（たとえばｘ分または時間）が経過した後で前記標的セルの測定を再開することを特徴とする請求項１乃至１４のいずれか１項に記載の方法。
【請求項１５】
適していない標的セルの測定または識別手続を抑制した移動無線端末装置がオフにされかつ再びオンにされた後で前記標的セルの測定または識別手続を再開することを特徴とする請求項１乃至１４のいずれか１項に記載の方法。
【請求項１６】
適していない標的セルの測定または識別手続を抑制した移動無線端末装置が別のセルへのセル変更を実行した後で前記標的セルの測定または識別手続を再開することを特徴とする請求項１乃至１４のいずれか１項に記載の方法。
【請求項１７】
適していない標的セルの測定または識別手続を抑制した移動無線端末装置が専用のメッセージを前記標的セルの測定のために移動無線網から受信した後で前記標的セルの測定または識別手続を再開することを特徴とする請求項１ないし１４のいずれか１項に記載の方法。
【請求項１８】
移動無線端末装置上で実行される請求項１乃至１７のいずれか１項に記載の方法を実行するプログラムコードを有するコンピュータプログラム。
【請求項１９】
隣接する無線セルを有する移動通信網内の移動端末装置の作動準備時間およびセル変更性能を最適化するための配列であって、
移動端末装置内に少なくとも１つのメモリ及び／又は移動通信網内での作動時に請求項１乃至１７のいずれか１項に従ってデータを格納かつ処理するデータ処理ユニットを具備することを特徴とする配列。
【発明の詳細な説明】
【技術分野】
【０００１】
本発明は、たとえば、ＧＳＭ又はＵＭＴＳ標準によるセルラー方式の移動通信システムに使用される移動端末装置の作動準備時間およびセル変更性能の最適化方法および配列に関する。
【背景技術】
【０００２】
３ＧＰＰ［ｗｗｗ．３ｇｐｐ．ｏｒｇ］によって規定されているようなＧＳＭおよびＵＭＴＳの両標準によるセルラー方式の移動無線網においては、移動無線装置をベースとするセル変更アルゴリズムにより、いわゆるアイドルモード又はＵＭＴＳでの接続モードの所定の状態（ＵＲＡ＿ＰＣＨ、ＣＥＬＬ＿ＰＣＨおよびＣＥＬＬ＿ＦＡＣＨ）でセル変更が実施される。同様のことはパケットベースのＧＰＲＳのセル変更にも当てはまる。このセル変更に関して、無線通信ネットワークは、いわゆる放送チャネル（ＢＣＣＨ）を介して、対応する端末装置に潜在的な隣接セルを通知する。
【０００３】
放射された隣接セルをコントロールすることはネットワークオペレータの義務である。この場合、異なる無線通信アクセス技術（ＧＳＭ、ＵＭＴＳ、ｃｄｍａ２０００）の隣接セル又は周波数（たとえばＵＭＴＳの場合）も含んでいてよい複数の可能な隣接関係を放射することができる。既存の移動無線技術の拡張は、たとえばＵＭＴＳの放送チャネル上の別の技術（たとえばＷＬＡＮ、ＷｉＭＡＸ等）の開示を可能にすることもできる［ドイツ連邦共和国特許出願公開第１０３０２４０４号明細書］。
【０００４】
以下の先行技術に関する説明は、主として、ＧＳＭ−およびＵＭＴＳ標準による使用に関係する。移動無線端末装置は、３ＧＰＰ標準に従って、無線技術的により良いセルに潜在的なセル変更を行うために、構築された隣接セルを連続的に又は定期的に測定することを必要とされている。この要件の詳細は［３ＧＰＰ  ＴＳ  ４５．００８］においてＧＳＭ移動無線装置に対し及び［３ＧＰＰ  ＴＳ  ２５．３０４、ＴＳ  ２５．１３３及びＴＳ  ２５．３３１］においてＵＭＴＳ移動無線装置に対して規定されている。前記技術仕様はセル変更がいつ実行されるべきか及び潜在的標的セルがどのような基準を満たす必要があるかも規定しており、それによってセル変更が実質的に移動無線端末装置によって実行される。
【０００５】
さらに、この技術仕様は、その他のどのような手続がセル変更後に実行されるべきかを規定している。たとえばＲＲＣ接続モード状態ＣＥＬＬ＿ＰＣＨの移動端末装置に対するＵＭＴＳシステムのいわゆるＣＥＬＬ  ＵＰＤＡＴＥ手続の実行である。
【０００６】
先行技術の前記規定は専らセル方式の移動無線網の無線通信部分（ＡＳ  −  Ａｃｃｅｓｓ  Ｓｔｒａｔｕｍ）に関係する。移動無線端末装置の挙動に対するその他の手続および要件は無線通信ネットワークの背後にあるコアネットワーク（ＣＮ）によって設定される：移動無線装置の移動管理はそれぞれの移動無線端末装置の状態に応じてコアネットワークまたは無線通信ネットワークによって管理される（ｉｄｌｅ  ｖｓ．  ｃｏｎｎｅｃｔｅｄ  ｍｏｄｅ）。それに対する３ＧＰＰによる技術標準における用語は、「移動管理」（英語ＭＭ  −  ｍｏｂｉｌｉｔｙ  ｍａｎａｇｅｍｅｎｔ  ｉｎ  “Ｎｏｎ  Ａｃｃｅｓｓ  Ｓｔｒａｔｕｍ”（ＮＡＳ））と呼ばれる。コアネットワークによる移動管理のために、セルラー方式の移動無線システムは、いわゆるロケーション・エリア（ＬＡ）およびルーティング・エリア（ＲＡ）に分けられる。
【０００７】
移動無線端末装置が初めてコアネットワークによって記録されるとき（“Ａｔｔａｃｈ”  −  手続）、移動無線端末装置の位置がロケーション・エリアの細分性を有するコアネットワークに知られている。移動無線端末装置に対して規定された（言語）呼出（Ｍｏｂｉｌｅ  Ｔｅｒｍｉｎａｔｅｄ  Ｃａｌｌ  −  ＭＴＣ）に対して、ＣＳ（Ｃｉｒｃｕｉｔ  Ｓｗｉｔｃｈｅｄ）コアネットワーク  −  この場合、いわゆる、Ｍｏｂｉｌｅ  Ｓｗｉｔｃｈｉｎｇ  Ｃｅｎｔｅｒ（ＭＳＣ）  −  は呼び出された移動無線端末装置が所定の手続［３ＧＰＰ  ＴＳ２４．００８］で応答するべき全ロケーション・エリアに呼出手続（Ｐａｇｉｎｇ）を実行する。パケット対応（ＰＳ）のデータ接続に対してルーティング・エリア（ＲＡ）のコンセプトが使用される。この移動管理の原理はロケーション・エリア方式に匹敵するが、パケット対応のデータトラフィックに対して規定されたコアネットワーク要素  −  “Ｓｅｒｖｉｎｇ  Ｇａｔｅｗａｙ  Ｓｅｒｖｉｎｇ  Ｎｏｄｅ  −  ＳＧＳＮ  −  によって監視される。規則および手続は［３ＧＰＰ  ＴＳ２３．０６０］に詳細に規定されている。
【０００８】
ＣＳ（ＭＳＣ）およびＰＳ（ＳＧＳＮ）の両者に対するその他の基本方式は、移動無線端末装置の移動性がそれぞれＬＡ若しくはＲＡの細分性で監視され、かつ移動無線端末装置がＬＡ若しくはＲＡの変更時に各コアネットワーク要素（ＭＳＣまたはＳＧＳＮ）にこの実行された変更を通知しなければならないことである。この手続はロケーション・エリア・アップデート（ＬＡＵ）およびルーティング・エリア・アップデート（ＲＡＵ）と呼ばれる。
【０００９】
ＧＳＭ−又はＵＭＴＳ標準による移動無線システムには、コアネットワーク（ＮＡＳ）による特定のロケーション・エリア又はルーティング・エリアへの移動無線端末装置のアクセスを阻止する方法もある。そのためにコアネットワークは移動無線端末装置のロケーション・エリア・アップデート又はルーティング・エリア・アップデートを拒否する可能性を有するが、その場合には、コアネットワークは移動無線端末装置にその拒否理由を通知する。この方法は［３ＧＰＰ  ＴＳ２４．００８］に規定されており、ロケーション・レジストレーション・リジェクト（Ｌｏｃａｔｉｏｎ  Ｒｅｇｉｓｔｒａｔｉｏｎ  Ｒｅｊｅｃｔ）と呼ばれる。
【００１０】
［３ＧＰＰ  ＴＳ２４．００８］は拒否理由の数と、そこから生じる移動無線端末装置に対する帰結および要件も規定する。ＬＡＵ拒否後の移動無線端末装置側において必要な手続の例は、理由＃１３（すなわち新規ネットワークオペレータの検索（ＰＬＭＮ））の受信時のＰＬＭＮセレクションの実行、理由＃１４又は＃１５による拒否の受信時の別のロケーション／ルーティング・エリア圏内の異なる隣接セルの検索等々である。この場合の詳細については［３ＧＰＰ  ＴＳ２４．００８］を参照されたい。
【００１１】
コアネットワークによるロケーション・エリア・アップデートの拒否は、３ＧＰＰ仕様により、潜在的な隣接標的セルの選択時の無線通信ネットワーク内の移動無線端末装置の挙動にも影響する：
ＴＳ  ２５．３０４及びＴＳ  ４５．００８により移動無線端末装置は、前記セルの特定の必要条件が満たされている場合にのみ、１つのセル変更のために１つの隣接セルを選択することを許可する。たとえば、潜在的なセル変更に対する候補として考慮されるセルは、現在利用されているＰＬＭＮに属さなければならない（つまり、現在のセルと同じＰＬＭＮ識別子を有する  −  この場合の特殊性は「等価ＰＬＭＮ」（ｅＰＬＭＮ）のコンセプトであり、このコンセプトは所定の前提条件下で前記隣接セルが現在のＰＬＭＮに属すかのように移動無線端末装置が他のＰＬＭＮに変更されることを可能にする［ＴＳ２４．００８］）。
【００１２】
標的セルに変換するための他の必要条件は、標的セルがブロック（“ｂａｒｒｅｄ  ｃｅｌｌ”）されていてはならず、１つのオペレータに対してリザーブ“ｏｐｅｒａｔｏｒ  ｒｅｓｅｒｖｅｄ  ｃｅｌｌ”）されていてはならず（ＵＭＴＳのみ）、並びに、最後に「ローミングに対して禁止されたロケーション・エリアのリスト」に載っていてはならないことである［ＴＳ  ２５．３０４］。
このリストは、新たに実行されたセル変更に対するロケーション・エリア・アップデートが一度でも拒否された全てのロケーション・エリア識別子を含んでいる。
【００１３】
今日の先行技術の特別の欠点は、ＧＳＭ標準およびＵＭＴＳ標準のいずれによっても移動無線端末装置が現在のセルにおいて充分な隣接セルに関する情報が得られず、無線技術的な測定および潜在的な標的セルの識別を妨げることである。
【００１４】
隣接セル  −現在のセルの放送チャネル（ＢＣＣＨ）を介してセル・リセレクション（Ｃｅｌｌ  Ｒｅｓｅｌｅｃｔｉｏｎ）を利用するセル変更に対する潜在的標的としての一切の移動無線端末装置にとって知られている−  がセル変更に対する必要条件も満たすかどうかを検出するために、移動無線端末装置は潜在的標的セルの測定後に前記標的セルと同期し、かつ必要な情報に読み出すために該標的セルの放送チャネル（ＢＣＣＨ）を選択しなければならない（標的セルのＰＬＭＮ  ＩＤ、付属のロケーションまたはルーティング・エリア識別子、“ｂａｒｒｅｄ  Ｓｔａｔｕｓ”、その他のセル検出、．．．）。
【００１５】
現在のソースセル内において前記情報を発することは容量の理由から意識的に回避された。今日の先行技術により、移動無線端末装置によってコントロールされるセル変更のために必要な情報が１つのセルの放送チャネルを介して提供され、そして、その情報は前記セル内にある全ての移動無線端末装置に対して同じであることに注意する必要がある。
【００１６】
つまり、今日の先行技術によれば、個々の移動無線端末装置に放送チャネルを介して異なる隣接情報を提供することは必ずしも可能ではない。
【００１７】
さらに各移動無線端末装置に対し潜在的な隣接セルの適性条件を個々にする／特別にすることもできることを注記する（殆どの移動無線端末装置は特定のロケーション・エリアへのアクセスが機能しておらず、それに対してその他のものは機能する）。後者の場合は、主として、ネットワークオペレータの要件から規定されており、種々の移動無線網で様々に構成することができる。
【発明の開示】
【発明が解決しようとする課題】
【００１８】
本発明は、種々の移動無線端末装置がセル・リセレクションのために異なる隣接情報（放送チャネルを介して提供されたもの）を利用する可能性を提供する移動端末装置の作動準備時間及びセル変更性能の最適化方法ならびにこの方法を実施するための各種命令を提供することを目的としている。
【課題を解決するための手段】
【００１９】
この課題は、本発明の特許請求の範囲第１項の特徴を有する方法、独立請求項１６の特徴を有するコンピュータプログラム並びに独立請求項１７の特徴を有する配列によって解決される。
【００２０】
本発明に係る方法の有利な態様およびその発展形が各従属請求項に記載されている。
【発明の効果】
【００２１】
本発明は本質的に作動中の移動無線端末装置によって実行される測定の回数を低減し、それによって特にセル変更に対する候補として適していないセルの無線位置標識を識別する無線技術的測定および手続を抑制することに基づいている。
【００２２】
ＧＳＭ又はＵＭＴＳ標準による移動無線端末装置が隣接セルをすでに１回潜在的標的セルとしてその資格を既にチェックし、かつ該隣接セルがこの移動無線端末装置の標的セルとして適していないことを確認したときには、本発明は、前記隣接セルの無線技術的測定を回避することを可能にするので、先行技術を本質的に改善する。
【発明を実施するための最良の形態】
【００２３】
標的セルが移動無線端末装置になぜ適していないかという理由は先行技術に記載されている。
【００２４】
ここに提案した方法は、この実施形態において、特にロケーション・エリア・アップデート又はルーティング・エリア・アップデートによるセルへのアクセスがコアネットワークによってすでに拒否されたために前記標的セルがセル変更に適していない場合に主に適用する。
【００２５】
しかし、また、別法の実施形態として、標的セルが、たとえば、別のＰＬＭＮに属し、標的セルが「ブロックされている」または「ネットワークオペレータに対しリザーブされている」として標識されている場合にも適用することができる。以下、本発明に係る方法の例示による一態様を説明する。
【００２６】
本発明による方法の実施例の出発点は、一国内において異なるＰＬＭＮ識別を有する２つの移動無線ネットワークオペレータ間の国内ローミング協定である。
【００２７】
この国内ローミング協定は、たとえば、オペラータＢ（ＰＬＭＮ  Ｂ）のユーザーを、オペレータＢが独自の移動無線サプライを提供しないオペラータＡ（ＰＬＭＮ  Ａ）のエリアで「ローミング」（つまり、オペレータＡの移動無線サービスを利用）することを可能にする。更に、この実施例は、たとえば、オペレータＡがＧＳＭ及びＵＭＴＳの両標準による移動無線網を運営することを考慮する。このオペレータは、ＧＳＭもＵＭＴＳもサポートする移動無線端末装置がオペレータＡのＵＭＴＳサプライのあるエリアで自動的にＵＭＴＳへ変更し、移動無線利用者がアクセスする必要のないように、このプロバイダーのＧＳＭ網を構成している（ＵＥベースのセル・リセレクション経由）。この配列は図１に示している。
【００２８】
いわゆるデュアルモードの移動無線端末装置（ｄｕａｌ−ｍｏｄｅ  ＵＥ）−つまりＧＳＭもＵＭＴＳもサポートする装置−での自動変更は、ＵＭＴＳ網がＧＳＭ網上にあるエリアのＧＳＭ網でのＵＭＴＳネットワークを介した隣接情報の放射によって可能になる。今日の組み合わされたＧＳＭ−／ＵＭＴＳ網にとって典型的なこのパラメータ化によって、セル・リセレクション（つまりＵＥベースでのセル変更）の一切のデュアルモードＵＥがＧＳＭからＵＭＴＳに従うと同時に、ＵＭＴＳ網品質が充分良好となることに注意する必要がある。
【００２９】
オペレータＡとＢの間の例示した国内ローミング協定は、さらに、たとえば、オペレータＢのユーザーがオペレータＡの全ＧＳＭ網を利用してよいが、ユーザーはオペレータＡのネットのＵＭＴＳ部分へのアクセス権は得られないことを考慮する（オペレータＡのネットにいるオペレータＢのユーザーが原理的にＵＭＴＳへのアクセスをサポートするデュアルモードＵＥを有する場合も含む）。つまり、例示した国内ローミング協定の要件は、オペレータＡのＵＭＴＳ網へのユーザーＢ（またはこのユーザーの一定の部分のみ）のアクセスが阻止されることを考慮する。
【００３０】
一例として, これは、オペレータＡのＵＭＴＳ網へのオペレータＢのユーザーの移動無線端末装置のアクセス試行が抑制されることによって達成することができる。これを達成するために、オペレータＡは、ＧＳＭ網およびＵＭＴＳ網のセルがそれぞれ異なるロケーション・エリア（ＬＡ）にあり、かつＧＳＭからＵＭＴＳへ及びＵＭＴＳからＧＳＭへの各変更がロケーション・エリア・アップデートを行うようにそのＧＳＭ／ＵＭＴＳ網を構成している。
【００３１】
オペレータＡのコアネットワークは、ここで、たとえば、拒否コードによって、ロケーション・エリア・アップデート（ＬＡＵ）の拒否することによって、ＵＭＴＳ技術（または一部分のみ）を利用するロケーション・エリアへのＢのユーザーのアクセス試行を抑制する可能性を有する。
【００３２】
この拒否手続の今日の実現は、たとえば、ソース（一例としてＩＭＳＩを利用）による移動無線端末装置の区別を可能にする。つまり、このアクセスはＡのユーザーを許可することができ、他方、Ｂのユーザーは拒否される。
【００３３】
つまり、先行技術は、ＡのＵＭＴＳ網内のユーザーＢ  −  ＵＭＴＳアクセス許可なし  −  の拒否をＬＡＵの拒否によって可能にする。しかしながら、セル変更パラメータの構成によって、オペレータＡもＵＭＴＳサプライを有するエリアで全てのデュアルモード可能な移動無線端末装置がＧＳＭからＵＭＴＳへのセル変更を行うが、標的ＵＭＴＳロケーション・エリア内でもオペレータＡの移動無線端末装置のみが許可されるので、オペレータＢの拒否された移動無線端末装置はセル変更を諦めなければならず、元のＧＳＭセルにとどまる。ここで、第１のアクセス試行がオペレータＡの標的ネット（ＵＭＴＳ網）から能動的にＬＡＵ拒否によって拒否されていることに注意する必要がある。その他のアクセス試行はすでに拒否されたオペレータＢの移動無線端末装置に対して、拒否された前記ＬＡが「ローミングに対して禁止されたＬＡのリスト」の中に含まれていることで失敗する。）
【００３４】
しかしながら、この先行技術は、移動無線端末装置が引き続き元のＧＳＭセル内のセル変更パラメータに従い、引き続き潜在的な標的セル（オペレータＡの構成されたＵＭＴＳセルを含む）を無線技術的に測定することを前記移動無線端末装置から要求される。この要件はＧＳＭの場合は、技術仕様［ＴＳ４５．００８］及び［３ＧＰＰ  ＴＳ２５．３０４、ＴＳ２５．１３３及びＴＳ２５．３３１］に規定されている。
【００３５】
つまり、要約すると、先行技術の本質的な不都合は、前記標的セルへのアクセスが「禁止」（ＶＥＲＢＯＴＥＮ）されている場合「でも」（ＡＵＣＨ）、現在のセルの放送チャネル上の構成に従って潜在的な標的セルを測定する必要があることである。
【００３６】
つまり、前記設定状況ではオペレータＢの移動無線端末装置がオペレータＡのＧＳＭセルの中に留まることになるが、前記仕様の要件によりこの移動無線端末装置に適していないＵＭＴＳ標的セルを引き続き無線技術的に測定する必要がある。
【００３７】
この要件は、不要な測定が移動無線端末装置に対する付加的なエネルギー消費を意味するので明らかに移動無線端末装置の準備完了時間に不利な影響を及ぼす。
【００３８】
よって、本発明に係る方法は、特定の隣接セルへのアクセスが（たとえばＬＡＵがこのセルですでに拒否されているので）不可能であることを移動無線端末装置が「記憶する」ことを提案する。つまり、すでに述べた「ローミングに対して禁止されたＬＡのリスト」に加えて、移動無線端末装置は付加的にたとえば各セルのセル識別子（“Ｃｅｌｌ  ＩＤ”）又は１つの隣接セルを一義的に識別する別の特性的な特徴を記録したもう１つのリストを保持し、その中にＬＡＵが失敗したことを注記されており、若しくはセルが「ローミングに対して禁止されたＬＡのリスト」の中に含まれているＬＡに属しているので、セル変更に利用できなかったことが記載されている。
特性的な特徴の例は、たとえば、ＧＳＭの場合は隣接セルの周波数、ＧＳＭ隣接セルの場合はＢＳＩＣ、ＵＭＴＳの場合は隣接セルのスクランブリング・コード、ＷＬＡＮの場合は搬送周波数、ＷＬＡＮの場合は“ＳＳＩＤ”等々である。本発明に係る方法は識別子に関してはまったく制限がない。
【００３９】
従って、移動無線端末装置は、記憶された情報によって何らセル変更の候補として適していない隣接セルの測定を回避することができ、それにより実質的に可能な隣接セルに制限することによって不要な測定が回避されることによりその準備時間を延長することができる。
【００４０】
つまり、前記設定状況では、オペレータＡのＧＳＭ網内のＢのユーザーの移動無線装置がＵＭＴＳへのセル変更に従うことになるが、そこでアクセス制限（「ＵＭＴＳ  ＬＡｓはＢの装置に対して許可しない」）に基づきＬＡＵ拒否を入手し、それに続き再びＧＳＭに変更する。
【００４１】
本発明に係る方法により、ここで全てのＵＭＴＳセル（拒否／禁止されたＬＡに含まれるもの）は、変更が直ちに許可されないのでその後の測定ではねつけることができる。
【００４２】
本発明に係る方法は、オペレータＡの禁止されたＵＭＴＳサプライの下にある据え置き式移動無線端末装置に特別な利点を提供し、そして、したがって、いずれにしても有効ではないＵＭＴＳへのセル変更に必要な測定を完全に回避できる。
【００４３】
それにもかかわらず、ブロックされている（ＵＭＴＳ）ロケーション・エリアへのアクセス条件の変更後にアクセスを可能にするため本発明に係る方法は、移動無線端末装置が一定時間に対してのみのアクセスの拒否を記憶することを提案する（たとえば２４時間またはオフにされるまで）。
【００４４】
それ以外では、元の標的セル上での測定が決して自ら再開することがないので、オペレータＡとＢの間の協定の変更後でも（ＵＭＴＳ）ＬＡへのアクセスが引き続き移動無線端末装置に拒否される（但し、［ＴＳ  ２４．００８］に規定された「ローミングに対して禁止されたＬＡのリスト」を消去するその他の条件が満たされている場合を除く）。
【００４５】
本発明はＧＳＭ又はＵＭＴＳ標準による移動端末装置に対してのみ適用されるだけではなく、その他の無線網技術（たとえばワイヤレスＬＡＮ（Ｗ−ＬＡＮ）、ｃｄｍａ２０００、ＷｉＭＡＸ、ＷｉＢｒｏ、エンハンスドＵＴＲＡＮ等）にも適用できる。
【図面の簡単な説明】
【００４６】
【図１】本発明を説明する図面
【図１】
2009502061.tif 000003
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
隣接する無線セルを有する移動通信網内の移動端末装置の作動準備時間およびセル変更性能の最適化方法において、移動端末装置が移動通信網内での作動時にセル変更に適さない隣接無線セルのネット特有の特性を一時記憶し、そして、それをセル変更の決定基準に使用し、隣接無線セルの不要な測定を回避するために特定の標的セルに関する情報を記憶し、この情報が放送チャネルを介して構成された隣接無線セルの前記の潜在的な標的セル（群）の別の測定を回避する方法であって、
移動端末装置が、隣接無線セルの不要な識別を回避するために、特定の標的セルに関する情報を記憶し、放送チャネルを介して構成された隣接無線セルの別の識別時にこの潜在的な標的セル（群）を回避するために前記情報を使用することを特徴とする方法。
【請求項２】
移動端末装置が任意の、たとえばＩＥＥＥ８０２．１１、ＷｉＭＡＸ、ＷｉＢｒｏのような無線標準に従って作動することを特徴とする請求項１に記載の方法。
【請求項３】
ＧＳＭ又はＵＭＴＳ標準による移動電話が、すでに「ロケーション・エリア・アップデート」の拒否によって該移動電話が拒否されたロケーション・エリアに属している隣接無線セルを別の測定または識別手続から除外することを特徴とする請求項１乃至２に記載の方法。
【請求項４】
ＧＳＭ又はＵＭＴＳ標準による移動電話がすでに「ルーティング・エリア・アップデート」の拒否によって該移動電話が拒否されたルーティング・エリアに属している隣接無線セルを別の測定または識別手続から除外することを特徴とする請求項１乃至３に記載の方法。
【請求項５】
移動電話が「ローミングに対して禁止されたロケーション・エリアのリスト」において拒否されたものとして含まれる隣接無線セルを別の測定または識別手続から除外することを特徴とする請求項３又は４に記載の方法。
【請求項６】
たとえばＩＥＥＥ８０２．１１のようなＷＬＡＮ標準による移動加入者端末装置が利用できない特性、たとえば、“ＳＳＩＤ”のような特性を放射する隣接無線セル若しくはアクセス・ポイントを、該移動加入者端末装置が利用できないことを検出した後で、別の測定または識別手続から除外することを特徴とする請求項１乃至２に記載の方法。
【請求項７】
隣接アクセス・ポイントが、たとえばＧＳＭ、ＵＭＴＳ又はｃｄｍａ２０００のような別の無線通信技術の放送チャネル上で放射されたことを特徴とする請求項１乃至２及び６のいずれか１項に記載の方法。
【請求項８】
標的セルがブロックされた“Ｂａｒｒｅｄ  Ｃｅｌｌ”として分類されたために、ＧＳＭ又はＵＭＴＳ標準による移動電話がすでに前記セル変更に適していないとして検出した隣接無線セルを別の測定または識別手続から除外することを特徴とする請求項１記載の方法。
【請求項９】
標的セルがオペレータ端末装置用にリザーブした“Ｏｐｅｒａｔｏｒ  Ｒｅｓｅｒｖｅｄ  Ｃｅｌｌ”として分類されたため、ＧＳＭ又はＵＭＴＳ標準による移動電話が前記セル変更に適していないと検出した隣接セルを別の測定から除外することを特徴とする請求項１記載の方法。
【請求項１０】
標的セルがセル変更に適していないとして分類されたために、ＧＳＭ又はＵＭＴＳ標準による移動電話が前記セル変更に適していないとして検出した隣接無線セルを別の測定または識別手続から除外することを特徴とする請求項１、６及び７に記載の方法。
【請求項１１】
標的セルがセル変更に適していないとして分類されたために、ＧＳＭ又はＵＭＴＳ以外の公知の標準による移動電話が前記セル変更に適していないとして検出した隣接無線セルを別の測定または識別手続から除外することを特徴とする請求項１記載の方法。
【請求項１２】
適していない標的セルの測定を抑制した移動無線端末装置が所定の時間、たとえば２４時間が経過した後で前記標的セルの測定を再開することを特徴とする請求項１乃至１１のいずれか１項に記載の方法。
【請求項１３】
適していない標的セルの測定又は識別手続を抑制した移動無線端末装置がオフにされかつ再びオンにされた後で前記標的セルの測定又は識別手続を再開することを特徴とする請求項１乃至１２のいずれか１項に記載の方法。
【請求項１４】
適していない標的セルの測定又は識別手続を抑制した移動無線端末装置が別のセルへのセル変更を実行した後で前記標的セルの測定又は識別手続を再開することを特徴とする請求項１乃至１２のいずれか１項に記載の方法。
【請求項１５】
適していない標的セルの測定又は識別手続を抑制した移動無線端末装置が、前記移動無線端末装置が専用のメッセージを前記標的セルの測定のために移動無線網から受信した後で、前記標的セルの測定又は識別手続を再開することを特徴とする請求項１乃至１２のいずれか１項に記載の方法。
【請求項１６】
前記方法がプログラムコードを有するコンピュータプログラムによって移動無線端末装置上で実行される請求項１乃至１５のいずれか１項に記載の方法。
【請求項１７】
前記方法が隣接する無線セルを有する移動通信網内の移動端末装置の作動準備時間およびセル変更性能を最適化するための配列を有し、移動端末装置内に少なくとも１つのメモリ及び／又は移動通信網内での作動時に実行された測定および識別手続のデータが格納かつ処理されるデータ処理ユニットを具備する請求項１乃至１６のいずれか１項に記載の方法。
【手続補正２】
【補正対象書類名】明細書
【補正対象項目名】全文
【補正方法】変更
【補正の内容】
【発明の詳細な説明】
【技術分野】
【０００１】
本発明は、たとえば、ＧＳＭ又はＵＭＴＳ標準によるセルラー方式の移動通信システムに使用される移動端末装置の作動準備時間およびセル変更性能の最適化方法および配列に関する。
【背景技術】
【０００２】
３ＧＰＰ［ｗｗｗ．３ｇｐｐ．ｏｒｇ］によって規定されているようなＧＳＭおよびＵＭＴＳの両標準によるセルラー方式の移動無線網においては、移動無線装置をベースとするセル変更アルゴリズムにより、いわゆるアイドルモード又はＵＭＴＳでの接続モードの所定の状態（ＵＲＡ＿ＰＣＨ、ＣＥＬＬ＿ＰＣＨおよびＣＥＬＬ＿ＦＡＣＨ）でセル変更が実施される。同様のことはパケットベースのＧＰＲＳのセル変更にも当てはまる。このセル変更に関して、無線通信ネットワークは、いわゆる放送チャネル（ＢＣＣＨ）を介して、対応する端末装置に潜在的な隣接セルを通知する。
【０００３】
放射された隣接セルをコントロールすることはネットワークオペレータの義務である。この場合、異なる無線通信アクセス技術（ＧＳＭ、ＵＭＴＳ、ｃｄｍａ２０００）の隣接セル又は周波数（たとえばＵＭＴＳの場合）も含んでいてよい複数の可能な隣接関係を放射することができる。既存の移動無線技術の拡張は、たとえばＵＭＴＳの放送チャネル上の別の技術（たとえばＷＬＡＮ、ＷｉＭＡＸ等）の開示を可能にすることもできる［ドイツ連邦共和国特許出願公開第１０３０２４０４号明細書］。
【０００４】
以下の先行技術に関する説明は、主として、ＧＳＭ−およびＵＭＴＳ標準による使用に関係する。移動無線端末装置は、３ＧＰＰ標準に従って、無線技術的により良いセルに潜在的なセル変更を行うために、構築された隣接セルを連続的に又は定期的に測定することを必要とされている。この要件の詳細は［３ＧＰＰ  ＴＳ  ４５．００８］においてＧＳＭ移動無線装置に対し及び［３ＧＰＰ  ＴＳ  ２５．３０４、ＴＳ  ２５．１３３及びＴＳ  ２５．３３１］においてＵＭＴＳ移動無線装置に対して規定されている。前記技術仕様はセル変更がいつ実行されるべきか及び潜在的標的セルがどのような基準を満たす必要があるかも規定しており、それによってセル変更が実質的に移動無線端末装置によって実行される。
【０００５】
さらに、この技術仕様は、その他のどのような手続がセル変更後に実行されるべきかを規定している。たとえばＲＲＣ接続モード状態ＣＥＬＬ＿ＰＣＨの移動端末装置に対するＵＭＴＳシステムのいわゆるＣＥＬＬ  ＵＰＤＡＴＥ手続の実行である。
【０００６】
先行技術の前記規定は専らセル方式の移動無線網の無線通信部分（ＡＳ  −  Ａｃｃｅｓｓ  Ｓｔｒａｔｕｍ）に関係する。移動無線端末装置の挙動に対するその他の手続および要件は無線通信ネットワークの背後にあるコアネットワーク（ＣＮ）によって設定される：移動無線装置の移動管理はそれぞれの移動無線端末装置の状態に応じてコアネットワークまたは無線通信ネットワークによって管理される（ｉｄｌｅ  ｖｓ．  ｃｏｎｎｅｃｔｅｄ  ｍｏｄｅ）。それに対する３ＧＰＰによる技術標準における用語は、「移動管理」（英語ＭＭ  −  ｍｏｂｉｌｉｔｙ  ｍａｎａｇｅｍｅｎｔ  ｉｎ  “Ｎｏｎ  Ａｃｃｅｓｓ  Ｓｔｒａｔｕｍ”（ＮＡＳ））と呼ばれる。コアネットワークによる移動管理のために、セルラー方式の移動無線システムは、いわゆるロケーション・エリア（ＬＡ）およびルーティング・エリア（ＲＡ）に分けられる。
【０００７】
移動無線端末装置が初めてコアネットワークによって記録されるとき（“Ａｔｔａｃｈ”  −  手続）、移動無線端末装置の位置がロケーション・エリアの細分性を有するコアネットワークに知られている。移動無線端末装置に対して規定された（言語）呼出（Ｍｏｂｉｌｅ  Ｔｅｒｍｉｎａｔｅｄ  Ｃａｌｌ  −  ＭＴＣ）に対して、ＣＳ（Ｃｉｒｃｕｉｔ  Ｓｗｉｔｃｈｅｄ）コアネットワーク  −  この場合、いわゆる、Ｍｏｂｉｌｅ  Ｓｗｉｔｃｈｉｎｇ  Ｃｅｎｔｅｒ（ＭＳＣ）  −  は呼び出された移動無線端末装置が所定の手続［３ＧＰＰ  ＴＳ２４．００８］で応答するべき全ロケーション・エリアに呼出手続（Ｐａｇｉｎｇ）を実行する。パケット対応（ＰＳ）のデータ接続に対してルーティング・エリア（ＲＡ）のコンセプトが使用される。この移動管理の原理はロケーション・エリア方式に匹敵するが、パケット対応のデータトラフィックに対して規定されたコアネットワーク要素  −  “Ｓｅｒｖｉｎｇ  Ｇａｔｅｗａｙ  Ｓｅｒｖｉｎｇ  Ｎｏｄｅ  −  ＳＧＳＮ  −  によって監視される。規則および手続は［３ＧＰＰ  ＴＳ２３．０６０］に詳細に規定されている。
【０００８】
ＣＳ（ＭＳＣ）およびＰＳ（ＳＧＳＮ）の両者に対するその他の基本方式は、移動無線端末装置の移動性がそれぞれＬＡ若しくはＲＡの細分性で監視され、かつ移動無線端末装置がＬＡ若しくはＲＡの変更時に各コアネットワーク要素（ＭＳＣまたはＳＧＳＮ）にこの実行された変更を通知しなければならないことである。この手続はロケーション・エリア・アップデート（ＬＡＵ）およびルーティング・エリア・アップデート（ＲＡＵ）と呼ばれる。
【０００９】
ＧＳＭ−又はＵＭＴＳ標準による移動無線システムには、コアネットワーク（ＮＡＳ）による特定のロケーション・エリア又はルーティング・エリアへの移動無線端末装置のアクセスを阻止する方法もある。そのためにコアネットワークは移動無線端末装置のロケーション・エリア・アップデート又はルーティング・エリア・アップデートを拒否する可能性を有するが、その場合には、コアネットワークは移動無線端末装置にその拒否理由を通知する。この方法は［３ＧＰＰ  ＴＳ２４．００８］に規定されており、ロケーション・レジストレーション・リジェクト（Ｌｏｃａｔｉｏｎ  Ｒｅｇｉｓｔｒａｔｉｏｎ  Ｒｅｊｅｃｔ）と呼ばれる。
【００１０】
［３ＧＰＰ  ＴＳ２４．００８］は拒否理由の数と、そこから生じる移動無線端末装置に対する帰結および要件も規定する。ＬＡＵ拒否後の移動無線端末装置側において必要な手続の例は、理由＃１３（すなわち新規ネットワークオペレータの検索（ＰＬＭＮ））の受信時のＰＬＭＮセレクションの実行、理由＃１４又は＃１５による拒否の受信時の別のロケーション／ルーティング・エリア圏内の異なる隣接セルの検索等々である。この場合の詳細については［３ＧＰＰ  ＴＳ２４．００８］を参照されたい。
【００１１】
コアネットワークによるロケーション・エリア・アップデートの拒否は、３ＧＰＰ仕様により、潜在的な隣接標的セルの選択時の無線通信ネットワーク内の移動無線端末装置の挙動にも影響する：
ＴＳ  ２５．３０４及びＴＳ  ４５．００８により移動無線端末装置は、前記セルの特定の必要条件が満たされている場合にのみ、１つのセル変更のために１つの隣接セルを選択することを許可する。たとえば、潜在的なセル変更に対する候補として考慮されるセルは、現在利用されているＰＬＭＮに属さなければならない（つまり、現在のセルと同じＰＬＭＮ識別子を有する  −  この場合の特殊性は「等価ＰＬＭＮ」（ｅＰＬＭＮ）のコンセプトであり、このコンセプトは所定の前提条件下で前記隣接セルが現在のＰＬＭＮに属すかのように移動無線端末装置が他のＰＬＭＮに変更されることを可能にする［ＴＳ２４．００８］）。
【００１２】
標的セルに変換するための他の必要条件は、標的セルがブロック（“ｂａｒｒｅｄ  ｃｅｌｌ”）されていてはならず、１つのオペレータに対してリザーブ“ｏｐｅｒａｔｏｒ  ｒｅｓｅｒｖｅｄ  ｃｅｌｌ”）されていてはならず（ＵＭＴＳのみ）、並びに、最後に「ローミングに対して禁止されたロケーション・エリアのリスト」に載っていてはならないことである［ＴＳ  ２５．３０４］。
このリストは、新たに実行されたセル変更に対するロケーション・エリア・アップデートが一度でも拒否された全てのロケーション・エリア識別子を含んでいる。
【００１３】
今日の先行技術の特別の欠点は、ＧＳＭ標準およびＵＭＴＳ標準のいずれによっても移動無線端末装置が現在のセルにおいて充分な隣接セルに関する情報が得られず、無線技術的な測定および潜在的な標的セルの識別を妨げることである。
【００１４】
隣接セル  −現在のセルの放送チャネル（ＢＣＣＨ）を介してセル・リセレクション（Ｃｅｌｌ  Ｒｅｓｅｌｅｃｔｉｏｎ）を利用するセル変更に対する潜在的標的としての一切の移動無線端末装置にとって知られている−  がセル変更に対する必要条件も満たすかどうかを検出するために、移動無線端末装置は潜在的標的セルの測定後に前記標的セルと同期し、かつ必要な情報に読み出すために該標的セルの放送チャネル（ＢＣＣＨ）を選択しなければならない（標的セルのＰＬＭＮ  ＩＤ、付属のロケーションまたはルーティング・エリア識別子、“ｂａｒｒｅｄ  Ｓｔａｔｕｓ”、その他のセル検出、．．．）。
【００１５】
現在のソースセル内において前記情報を発することは容量の理由から意識的に回避された。今日の先行技術により、移動無線端末装置によってコントロールされるセル変更のために必要な情報が１つのセルの放送チャネルを介して提供され、そして、その情報は前記セル内にある全ての移動無線端末装置に対して同じであることに注意する必要がある。
【００１６】
つまり、今日の先行技術によれば、個々の移動無線端末装置に放送チャネルを介して異なる隣接情報を提供することは必ずしも可能ではない。
【００１７】
さらに各移動無線端末装置に対し潜在的な隣接セルの適性条件を個々にする／特別にすることもできることを注記する（殆どの移動無線端末装置は特定のロケーション・エリアへのアクセスが機能しておらず、それに対してその他のものは機能する）。後者の場合は、主として、ネットワークオペレータの要件から規定されており、種々の移動無線網で様々に構成することができる。
【００１８】
印刷物米国特許第２００２／０１２３３４８号明細書により、作動中の利用者実装要素による使用のために好適な無線セルを有し、かつ第２のオペレータ無線網によって承認された無線ネットワークへの適用方法が開示されており、この方法は制限された無線セルとしてのアドレス化、第１のオペレータネットワークの各無線セルが競合セルを有し、拒否された無線セルの第２のオペレータネットワークによって承認された利用者実装要素による利用試行の拒否を特徴とする。この印刷物は隣接無線セルの不要な測定を回避するために、構成された隣接無線セルの潜在的な標的セル（群）の更なる測定を回避する特定の標的セルに関する情報が格納されていない不都合を有する。
印刷物欧州特許第１２８６５６１号明細書により移動無線接続用の新規の地理的伝達エリアの選択方法が開示されており、無線ネットワークアクセスから１つまたは複数の伝達エリアのリストの情報が受信され、この情報は移動無線接続サービスを入手しまたはサービスを入手せず、かつ受信した情報が新規の伝達エリアのサービスの要件についてチェックされ、地理的な伝達エリアの選択が受信した情報に応じて決定される。
この印刷物も、同様に、情報の不要な伝達を回避するために、無線接続に対する潜在的な無線ネットワークアクセスの更なる照会および伝達を回避する情報が格納されていない不都合を有する。
【発明の開示】
【発明が解決しようとする課題】
【００１９】
本発明は、種々の移動無線端末装置がセル・リセレクションのために異なる隣接情報（放送チャネルを介して提供されたもの）を利用する可能性を提供する移動端末装置の作動準備時間及びセル変更性能の最適化方法ならびにこの方法を実施するための各種命令を提供することを目的としている。
【課題を解決するための手段】
【００２０】
この課題は、本発明により、特許請求の範囲第１項の特徴を有する方法によって解決される。
【００２１】
本発明に係る方法の有利な態様およびその発展形が各従属請求項に記載されている。
【発明の効果】
【００２２】
本発明は本質的に作動中の移動無線端末装置によって実行される測定の回数を低減し、それによって特にセル変更に対する候補として適していないセルの無線位置標識を識別する無線技術的測定および手続を抑制することに基づいている。
【００２３】
ＧＳＭ又はＵＭＴＳ標準による移動無線端末装置が隣接セルをすでに１回潜在的標的セルとしてその資格を既にチェックし、かつ該隣接セルがこの移動無線端末装置の標的セルとして適していないことを確認したときには、本発明は、前記隣接セルの無線技術的測定を回避することを可能にするので、先行技術を本質的に改善する。
【発明を実施するための最良の形態】
【００２４】
標的セルが移動無線端末装置になぜ適していないかという理由は先行技術に記載されている。
【００２５】
ここに提案した方法は、この実施形態において、特にロケーション・エリア・アップデート又はルーティング・エリア・アップデートによるセルへのアクセスがコアネットワークによってすでに拒否されたために前記標的セルがセル変更に適していない場合に主に適用する。
【００２６】
しかし、また、別法の実施形態として、標的セルが、たとえば、別のＰＬＭＮに属し、標的セルが「ブロックされている」または「ネットワークオペレータに対しリザーブされている」として標識されている場合にも適用することができる。以下、本発明に係る方法の例示による一態様を説明する。
【００２７】
本発明による方法の実施例の出発点は、一国内において異なるＰＬＭＮ識別を有する２つの移動無線ネットワークオペレータ間の国内ローミング協定である。
【００２８】
この国内ローミング協定は、たとえば、オペラータＢ（ＰＬＭＮ  Ｂ）のユーザーを、オペレータＢが独自の移動無線サプライを提供しないオペラータＡ（ＰＬＭＮ  Ａ）のエリアで「ローミング」（つまり、オペレータＡの移動無線サービスを利用）することを可能にする。更に、この実施例は、たとえば、オペレータＡがＧＳＭ及びＵＭＴＳの両標準による移動無線網を運営することを考慮する。このオペレータは、ＧＳＭもＵＭＴＳもサポートする移動無線端末装置がオペレータＡのＵＭＴＳサプライのあるエリアで自動的にＵＭＴＳへ変更し、移動無線利用者がアクセスする必要のないように、このプロバイダーのＧＳＭ網を構成している（ＵＥベースのセル・リセレクション経由）。この配列は図１に示している。
【００２９】
いわゆるデュアルモードの移動無線端末装置（ｄｕａｌ−ｍｏｄｅ  ＵＥ）−つまりＧＳＭもＵＭＴＳもサポートする装置−での自動変更は、ＵＭＴＳ網がＧＳＭ網上にあるエリアのＧＳＭ網でのＵＭＴＳネットワークを介した隣接情報の放射によって可能になる。今日の組み合わされたＧＳＭ−／ＵＭＴＳ網にとって典型的なこのパラメータ化によって、セル・リセレクション（つまりＵＥベースでのセル変更）の一切のデュアルモードＵＥがＧＳＭからＵＭＴＳに従うと同時に、ＵＭＴＳ網品質が充分良好となることに注意する必要がある。
【００３０】
オペレータＡとＢの間の例示した国内ローミング協定は、さらに、たとえば、オペレータＢのユーザーがオペレータＡの全ＧＳＭ網を利用してよいが、ユーザーはオペレータＡのネットのＵＭＴＳ部分へのアクセス権は得られないことを考慮する（オペレータＡのネットにいるオペレータＢのユーザーが原理的にＵＭＴＳへのアクセスをサポートするデュアルモードＵＥを有する場合も含む）。つまり、例示した国内ローミング協定の要件は、オペレータＡのＵＭＴＳ網へのユーザーＢ（またはこのユーザーの一定の部分のみ）のアクセスが阻止されることを考慮する。
【００３１】
一例として, これは、オペレータＡのＵＭＴＳ網へのオペレータＢのユーザーの移動無線端末装置のアクセス試行が抑制されることによって達成することができる。これを達成するために、オペレータＡは、ＧＳＭ網およびＵＭＴＳ網のセルがそれぞれ異なるロケーション・エリア（ＬＡ）にあり、かつＧＳＭからＵＭＴＳへ及びＵＭＴＳからＧＳＭへの各変更がロケーション・エリア・アップデートを行うようにそのＧＳＭ／ＵＭＴＳ網を構成している。
【００３２】
オペレータＡのコアネットワークは、ここで、たとえば、拒否コードによって、ロケーション・エリア・アップデート（ＬＡＵ）の拒否することによって、ＵＭＴＳ技術（または一部分のみ）を利用するロケーション・エリアへのＢのユーザーのアクセス試行を抑制する可能性を有する。
【００３３】
この拒否手続の今日の実現は、たとえば、ソース（一例としてＩＭＳＩを利用）による移動無線端末装置の区別を可能にする。つまり、このアクセスはＡのユーザーを許可することができ、他方、Ｂのユーザーは拒否される。
【００３４】
つまり、先行技術は、ＡのＵＭＴＳ網内のユーザーＢ  −  ＵＭＴＳアクセス許可なし  −  の拒否をＬＡＵの拒否によって可能にする。しかしながら、セル変更パラメータの構成によって、オペレータＡもＵＭＴＳサプライを有するエリアで全てのデュアルモード可能な移動無線端末装置がＧＳＭからＵＭＴＳへのセル変更を行うが、標的ＵＭＴＳロケーション・エリア内でもオペレータＡの移動無線端末装置のみが許可されるので、オペレータＢの拒否された移動無線端末装置はセル変更を諦めなければならず、元のＧＳＭセルにとどまる。ここで、第１のアクセス試行がオペレータＡの標的ネット（ＵＭＴＳ網）から能動的にＬＡＵ拒否によって拒否されていることに注意する必要がある。その他のアクセス試行はすでに拒否されたオペレータＢの移動無線端末装置に対して、拒否された前記ＬＡが「ローミングに対して禁止されたＬＡのリスト」の中に含まれていることで失敗する。）
【００３５】
しかしながら、この先行技術は、移動無線端末装置が引き続き元のＧＳＭセル内のセル変更パラメータに従い、引き続き潜在的な標的セル（オペレータＡの構成されたＵＭＴＳセルを含む）を無線技術的に測定することを前記移動無線端末装置から要求される。この要件はＧＳＭの場合は、技術仕様［ＴＳ４５．００８］及び［３ＧＰＰ  ＴＳ２５．３０４、ＴＳ２５．１３３及びＴＳ２５．３３１］に規定されている。
【００３６】
つまり、要約すると、先行技術の本質的な不都合は、前記標的セルへのアクセスが「禁止」（ＶＥＲＢＯＴＥＮ）されている場合「でも」（ＡＵＣＨ）、現在のセルの放送チャネル上の構成に従って潜在的な標的セルを測定する必要があることである。
【００３７】
つまり、前記設定状況ではオペレータＢの移動無線端末装置がオペレータＡのＧＳＭセルの中に留まることになるが、前記仕様の要件によりこの移動無線端末装置に適していないＵＭＴＳ標的セルを引き続き無線技術的に測定する必要がある。
【００３８】
この要件は、不要な測定が移動無線端末装置に対する付加的なエネルギー消費を意味するので明らかに移動無線端末装置の準備完了時間に不利な影響を及ぼす。
【００３９】
よって、本発明に係る方法は、特定の隣接セルへのアクセスが（たとえばＬＡＵがこのセルですでに拒否されているので）不可能であることを移動無線端末装置が「記憶する」ことを提案する。つまり、すでに述べた「ローミングに対して禁止されたＬＡのリスト」に加えて、移動無線端末装置は付加的にたとえば各セルのセル識別子（“Ｃｅｌｌ  ＩＤ”）又は１つの隣接セルを一義的に識別する別の特性的な特徴を記録したもう１つのリストを保持し、その中にＬＡＵが失敗したことを注記されており、若しくはセルが「ローミングに対して禁止されたＬＡのリスト」の中に含まれているＬＡに属しているので、セル変更に利用できなかったことが記載されている。
特性的な特徴の例は、たとえば、ＧＳＭの場合は隣接セルの周波数、ＧＳＭ隣接セルの場合はＢＳＩＣ、ＵＭＴＳの場合は隣接セルのスクランブリング・コード、ＷＬＡＮの場合は搬送周波数、ＷＬＡＮの場合は“ＳＳＩＤ”等々である。本発明に係る方法は識別子に関してはまったく制限がない。
【００４０】
従って、移動無線端末装置は、記憶された情報によって何らセル変更の候補として適していない隣接セルの測定を回避することができ、それにより実質的に可能な隣接セルに制限することによって不要な測定が回避されることによりその準備時間を延長することができる。
【００４１】
つまり、前記設定状況では、オペレータＡのＧＳＭ網内のＢのユーザーの移動無線装置がＵＭＴＳへのセル変更に従うことになるが、そこでアクセス制限（「ＵＭＴＳ  ＬＡｓはＢの装置に対して許可しない」）に基づきＬＡＵ拒否を入手し、それに続き再びＧＳＭに変更する。
【００４２】
本発明に係る方法により、ここで全てのＵＭＴＳセル（拒否／禁止されたＬＡに含まれるもの）は、変更が直ちに許可されないのでその後の測定ではねつけることができる。
【００４３】
本発明に係る方法は、オペレータＡの禁止されたＵＭＴＳサプライの下にある据え置き式移動無線端末装置に特別な利点を提供し、そして、したがって、いずれにしても有効ではないＵＭＴＳへのセル変更に必要な測定を完全に回避できる。
【００４４】
それにもかかわらず、ブロックされている（ＵＭＴＳ）ロケーション・エリアへのアクセス条件の変更後にアクセスを可能にするため本発明に係る方法は、移動無線端末装置が一定時間に対してのみのアクセスの拒否を記憶することを提案する（たとえば２４時間またはオフにされるまで）。
【００４５】
適していない標的セルの測定または識別手続を抑制した移動無線端末装置のオフ過程後で、該移動無線端末装置が再びオンにされた後に、前記移動無線端末装置は前記標的セルの測定又は識別手続を再開する。
これは移動無線端末装置が別のセルへのセル変更を行ったときにも当てはまる。
【００４６】
それ以外では、元の標的セル上での測定が決して自ら再開することがないので、オペレータＡとＢの間の協定の変更後でも（ＵＭＴＳ）ＬＡへのアクセスが引き続き移動無線端末装置に拒否される（但し、［ＴＳ  ２４．００８］に規定された「ローミングに対して禁止されたＬＡのリスト」を消去するその他の条件が満たされている場合を除く）。
【００４７】
本発明はＧＳＭ又はＵＭＴＳ標準による移動端末装置に対してのみ適用されるだけではなく、その他の無線網技術（たとえばワイヤレスＬＡＮ（Ｗ−ＬＡＮ）、ｃｄｍａ２０００、ＷｉＭＡＸ、ＷｉＢｒｏ、エンハンスドＵＴＲＡＮ等）にも適用できる。
【図面の簡単な説明】
【００４８】
【図１】本発明を説明する図面
【符号の説明】
【００４９】
１．ユーザーＰＬＭＮ  Ａ（デュアルモードＵＥ）
２．ユーザーＰＬＭＮ  Ｂ（デュアルモードＵＥ）
３．ＰＬＭＮ  Ａ（ＵＭＴＳ）−ＬＡ２
４．ＰＬＭＮ  Ａ（ＧＳＭ）−ＬＡ１
５．セル・リセレクション（セルの新規選択）
６．ＰＬＭＮ  ＢのＵＭＴＳへのアクセスなし
【手続補正３】
【補正対象書類名】図面
【補正対象項目名】全図
【補正方法】変更
【補正の内容】
【図１】
2009502061.tif 000004
【国際調査報告】
2009502061.tif 000005
2009502061.tif 000006
2009502061.tif 000007
2009502061.tif 000008
2009502061.tif 000009
2009502061.tif 000010